(57)【要約】【課題】座板が高温にさらされた場合であっても、座板の熱変形を少なく抑えることができ、シャッターカーテンと床面との間に避難者が挟まれた場合であっても、避難者が容易に脱出できる、座板構造を提供する。【解決手段】シャッターカーテン２の下端部に装着される鋼製座板３の構造であって、シャッターカーテン２の少なくとも下側部位はシート部位２１から構成されており、鋼製座板３は、開口幅に亘って延出し、開口部全閉時に床面に着座する座板本体部３０と、開口幅方向に間隔を存して複数設けてあり、座板本体部３０とシート部位２１とを連結する複数の連結部３１と、から構成されている。【選択図】図２
2007146462.tif 000002
【特許請求の範囲】
【請求項１】
シャッターカーテン下端部に装着される鋼製座板の構造であって、
前記シャッターカーテンの少なくとも下側部位はシート部位から構成されており、
前記鋼製座板は、
開口幅に亘って延出し、開口部全閉時に床面に着座する座板本体部と、
開口幅方向に間隔を存して複数設けてあり、該座板本体部と該シート部位とを連結する複数の連結部と、
から構成されている、防火・防煙用シャッターの座板構造。
【請求項２】
前記連結部は、該座板本体部と該シート部位とを、相対的な移動が可能なように連結するものである、請求項１に記載の座板構造。
【発明の詳細な説明】
【技術分野】
【０００１】
本発明は、防火・防煙用シャッターのシャッターカーテン下端の座板構造に関するものである。
【背景技術】
【０００２】
防火・防煙用のシャッター装置としては、シャッターカーテンの全部あるいは一部をシート体から構成し、シャッターカーテンの下端に金属製の座板を装着したものがある。シャッターカーテンの下端に装着される座板は、一般に、開口部全幅に亘って延出する長尺状の座板本体部と、座板本体部から一体的に立ち上がり状に形成された長尺状の連結部と、から概ね断面視逆Ｔ形状に一体形成されている。座板は、長尺状の連結部を介してシャッターカーテン下端に連結され、開口部全閉時には座板本体部が着床する。
【０００３】
火災時に防火・防煙用シャッター装置のシャッターカーテンが降下して建築物内に防火区域を形成した場合には、シャッターカーテンはかなりの高温に曝されることになる。この時、全閉状態となっているシャッターカーテン下端の座板においては、立ち上がり状の連結部が高温に熱せられるのに対して、座板本体部は着床していることから連結部の温度に比べて比較的低温が維持される。したがって、一本の座板において、部分的に温度差が生じ、温度差によって座板の部分において熱変形量に差異が生じて、座板全体として、反り返ったり、捩れたりするおそれがある。座板が、反り返ったり、捩れたりしてしまうと、開口部全閉状態において、座板下面と床面との間に隙間が形成されてしまい、防火・防煙用のシャッター装置としての機能を十分に発揮できなくなるおそれがある。
【０００４】
また、本出願人は、シャッターカーテン上側部位を占める金属製スラットと、シャッターカーテン下側部位を占める耐火シートと、から構成されたシャッターカーテンを備えた防火シャッターを提案している（特許文献１）。このものは、シャッターカーテンの下側部位をシートから構成することで、降下するシャッターカーテンと床面との間に避難者が挟まれた場合であっても、自力で脱出することができるようにしたものである。しかしながら、耐火シート下端に装着された鋼製座板部の重量が重いと、避難者が挟まれた場合に、圧迫荷重により脱出し難い場合があり、より一層の改良が望まれていた。鋼製の重量防火シャッターの挟まれ防止装置として用いられている検知装置を設けることも検討できるが、検知装置には、検知部、検知信号を伝達するコード、バッテリ電源、その他の電装機器を必要とするため、コスト高になり、また、バッテリ電源のメンテナンスが必要となる。
【特許文献１】特許第３６７７６１５号
【発明の開示】
【発明が解決しようとする課題】
【０００５】
本発明は、火災時に、座板が高温にさらされた場合であっても、座板の熱変形を少なく抑えることができる座板構造を提供することを目的とする。
【０００６】
本発明の他の目的は、シャッターカーテンと床面との間に避難者が挟まれた場合であっても、避難者が容易に脱出できるような座板構造を提供することにある。
【課題を解決するための手段】
【０００７】
本発明が採用した技術手段は、シャッターカーテン下端部に装着される鋼製座板の構造であって、前記シャッターカーテンの少なくとも下側部位はシート部位から構成されており、前記鋼製座板は、開口幅に亘って延出し、開口部全閉時に床面に着座する座板本体部と、開口幅方向（座板本体部の長さ方向）に間隔を存して複数設けてあり、該座板本体部と該シート部位とを連結する複数の連結部と、から構成されている、防火・防煙用シャッターの座板構造である。
【０００８】
１つの態様では、前記シャッターカーテンは、シャッターカーテンの上側部位を構成する鋼製スラット部位とシャッターカーテンの下側部位を構成するシート部位とから構成される。尚、本発明には、シャッターカーテン全体がシートから構成されたものも含まれる。
【０００９】
１つの態様では、前記連結部は、該座板本体部と該シート部位とを、相対的な移動が可能なように連結するものである。より具体的な１つの態様では、前記連結部には横長穴が設けてあり、前記座板は、横長穴内に挿通させた固定部材（螺子やボルトが例示される）を介してシート部位に連結されている。このものでは、座板は、シート部位に対して、横長穴の遊びの範囲内で座板の長さ方向に移動できる。また、該座板本体部と該シート部位との相対的な移動を許容するために連結部に設けた穴は、横長穴に限定されず、縦長穴やその他クリアランス（遊び）を有して固定部材を挿通させる穴でもよい。
【発明の効果】
【００１０】
本発明は、鋼製座板を、開口幅に亘って延出し、開口部全閉時に床面に着座する座板本体部と、開口幅方向に間隔を存して複数設けてあり、該座板本体部と該シート部位とを連結する複数の連結部と、から構成したので、短尺状の各連結部は、熱変形したとしても長尺状部材に比べて変形量が小さく、また、座板本体部は、連結部の熱変形の影響を受け難い。
【００１１】
本発明では、従来の座板では座板の長さ方向全体に延出する連結部を、短尺状として間隔を存して設けたので、従来の座板に比べて、重量が軽くなる上に、座板の垂直剛性が小さく、撓みやすい。したがって、シャッターカーテンと床面との間に避難者が挟まれた場合であっても、圧迫荷重が少なく、避難者が容易に脱出できる。
【００１２】
前記連結部が、該座板本体部と該シート部位とを、相対的な移動が可能なように連結するものにおいては、前記座板は、シャッターカーテンと床面との間に避難者が挟まれた場合に、シート部位に対して座板が移動できることで、座板がより撓み易くなっている。
【発明を実施するための最良の形態】
【００１３】
本発明の実施形態を図面に基づいて説明する。図１は、防火・防煙用のシャッター装置の正面図、図２は、シャッターカーテンの側面図及び正面図である。シャッター装置は、火災時に建築物の所定の開口を閉鎖して建築物内に防火区域を形成するように所定位置に設置されている。シャッター装置は、前記開口の上方の天井部のシャッターケース１内に収納された巻取シャフト（図示せず）と、上端が該巻取シャフトに連結されており、該巻取シャフトに巻装されるシャッターカーテン２と、シャッターカーテン２の下端に設けられた座板３と、前記開口の左右端部に立設されたガイドレール４と、該巻取シャフトを回転駆動させる開閉機５と、から構成されている。火災発生時には、図示しない火災・煙検知手段からの検知信号に基づいて開閉機５を介して該巻取シャフトを回転駆動させることで、シャッターカーテン２が、その幅方向端部がガイドレール４に案内されながら降下して開口を閉鎖する。
【００１４】
シャッターカーテン２は、複数の鋼製スラット６を上下に連設してなる鋼製スラット部位２０と、鋼製スラット部位２０の下端に連結された耐火シート７からなるシート部位２１と、から構成されており、シート部位２１の下端には座板３が装着されている。鋼製スラット部位２０の最下端のスラットは連結板６Ａを構成しており、連結板６Ａにシート７の上端部を重ねて螺子８Ａ、雌螺子８Ｂを用いて連結することで、シャッターカーテン２の上側部位を構成する鋼製スラット部位２０とシャッターカーテン２の下側部位を構成するシート部位２１とが一体化される。シャッターカーテン２は、開口幅よりも若干大きい幅寸法を有しており、その幅方向両端部は、ガイドレール４内に呑み込まれている。
【００１５】
図３に示すように、シート部位２１を構成するシート７の下端部位には袋状部７Ａが形成されており、袋状部７Ａには、開口幅方向に延出する薄肉の鋼製フラットバー９が垂直方向の姿勢で内装されている。図示の例では、袋状部７Ａは、シート７の下端部位を折り返して、折り返し部位の上方部位を開口幅方向にシートに縫い付けると共に、折り返し部位の下方部位を、袋状部７Ａの下側に余端部７Ｂを形成するように開口幅方向に縫い付けることで形成されている。シート部位２１の下端に装着される座板３は、開口幅全体に亘る寸法を有する座板本体部３０と、座板本体部３０の長さ方向（開口幅方向）に間隔を存して配設された複数の短尺の連結部３１と、から構成されている。袋状部７Ａの下側に位置して開口幅全体に亘って延出する余端部７Ｂが、シート７の下端部と座板本体部３０との間の空間を閉塞するので、シート７の下端部と座板本体部３０との間において、開口幅方向に間隔を存して配設した連結部３１間に隙間が形成されるようなことがない。
【００１６】
座板本体部３０は、開口部幅方向に水平状に延出する底部３００と、底部３００の幅方向（底部３００の長さ方向に直交する方向）の両端部に対向状に立ち上がり形成した側縁部３０１と、側縁部３０１の上端から内側に向かって折り返し状に折曲した折り返し部３０２と、から構成されている。側縁部３０１の高さ寸法は、連結部３１の立ち上がり寸法に比べて相対的に小さく、座板本体部３０は全体として扁平状であるために、熱の影響を受けた場合でも、底部３００、側縁部３０１、折り返し部３０２間の温度差は殆ど無い。
【００１７】
各連結部３１は、一対の断面視Ｌ形状の片３１Ａ，３１Ａから構成されている。各片３１Ａは、水平部３１０と垂直部３１１とからなり、水平部３１０を座板本体部３０の底部３００の上面に固着し（接着ないし溶着が例示される）、各片３１Ａの垂直部３１１によって、フラットバー９を内装した袋状部７Ａを両側から挟むようにして、一対の垂直部３１１、袋状部７Ａ、フラットバー９を貫通する螺子１０Ａと雌螺子１０Ｂを用いて一体化される。
【００１８】
図５に、座板構造の他の実施形態を示す。図５において、上記実施形態（図３）と同一の構成要素については、同一の参照数字を付してある。シート７の下端部位には袋状部７Ａが形成されており、袋状部７Ａには、開口幅方向に延出する薄肉の鋼製フラットバー９が内装されている。袋状部７Ａの片側の面部には、開口幅方向に延出する閉塞シート１１が設けてある。閉塞シート１１は、垂直部と水平部とからなり、垂直部を介して袋状部７Ａの片側に装着されており、水平部は、後述する扁平板状バー１２の下面に装着されている。また、閉塞シート１１は、垂直部を袋状部７Ａの片側に添えるようにして、水平部を扁平板状バー１２の下面に挟むようにしてもよい。袋状部７Ａの片側に添えるようにして、シート７の下端に装着される座板３は、開口幅全体に亘る寸法を有する座板本体部３０と、座板本体部３０の長さ方向（開口幅方向）に間隔を存して配設された複数の短尺の連結部３１と、から構成されている。開口幅全体に亘って延出する閉塞シート１１が、シート７の下端部と座板本体部３０との間の空間を閉塞するので、シート７の下端部と座板本体部３０との間において、開口幅方向に間隔を存して配設した連結部３１間に隙間が形成されるようなことがない。
【００１９】
座板本体部３０は、開口部幅方向に水平状に延出する底部３００と、底部３００の幅方向（底部３００の長さ方向に直交する方向）の両端部に対向状に立ち上がり形成した側縁部３０１と、側縁部３０１の上端から内側に向かって水平状に折曲した水平状の折り返し部３０２と、から構成されている。
【００２０】
各連結部３１は、一対の断面視Ｌ形状の片３１Ａ，３１Ａから構成されている。各片３１Ａは、水平部３１０と垂直部３１１とからなり、各片３１Ａの垂直部３１１によって、フラットバー９を内装した袋状部７Ａを両側から挟むようにして、一対の垂直部３１１、袋状部７Ａ、フラットバー９を貫通する螺子１０Ａと雌螺子１０Ｂを用いて一体化される。座板本体部３０の水平状の折り返し部３０２には、開口幅方向に延出する扁平板状バー１２が装着されている。扁平板状バー１２は、扁平板状バー１２と折り返し片３０２の間に連結部３１の水平部３１０を挟み、螺子１３を用いてこれらを連結することで、座板３に装着されている。扁平板状バー１２は、長尺部材であり撓み易く、螺子１３を有しない部位においては、扁平板状バー１２は自重で下方に撓み、図５の左図のように、扁平板状バー１２は、座板本体部３０の底部３００の上面に載置ないし近接した状態となっている。
【００２１】
上記両実施形態において、各連結部３１の各垂直片３１１には、開口幅方向に長い横長穴３１２が設けてあり、座板３とシート部位２１は、横長穴３１２内を挿通する螺子１０Ａによって連結されている。座板３は、長穴３１２の遊びの範囲内で、シート部位２１に対して、開口幅方向に可動となっている。また、袋状部７Ａに内装された鋼製フラットバー９に縦長穴（図示しない）を設けて、当該縦長穴内に螺子１０Ａを挿通させても良い。こうすることで、螺子１０Ａが当該縦穴内で上下動することができ、座板３が撓む際のフラットバー９の影響を低減することができる。
【００２２】
図４（一側の端部のみを示す）に示すように、開口幅方向両端の連結部３１は、ガイドレール４内に延出しており、連結部３１とシート部位２１とを固定する螺子及び雌螺子をガイドレール４内に位置させてある。螺子１０Ａの頭部から雌螺子１０Ｂまでの寸法は、ガイドレール４の開口溝４０の溝幅よりも大きい寸法を有しており、連結部３１とシート部位２１とを固定する固定部材（螺子１０Ａやボルトが例示）を抜け止め部材として機能させることができる。
【００２３】
このように構成された座板３において、火災時にシャッターカーテン２によって開口部を閉鎖した状態では、座板本体部３０に比べて、連結部３１はより高温に熱せられ得るが、連結部３１は、従来の長尺状の連結部位に比べて、短尺であるので、個々の連結部３１の熱変形量は少ない。そして、連結部３１は、座板本体部３０の長さ方向に間隔を存して連結されているので、座板本体部３０は、連結部３１の熱変形の影響を受け難い。したがって、本発明に係る座板３は、高温に曝されることで、反り返ったり、捩れたりすることがない。尚、シート部位２１の袋状部７Ａにはフラットバー９が内装されているが、フラットバー９と座板３（座板本体部３０）とは別部材から構成されており、仮にフラットバー９が熱変形したとしても、座板本体部３０がその熱変形により反り返ったり、捩れたりすることはない。
【００２４】
本発明に係る座板３は、複数の短尺状の連結部３１を構成要素としたので、長尺状の連結部を有するものに比べて、重量が軽くなる上に、垂直剛性が弱く、撓み易い。さらには、本実施形態では、座板本体部３０及び連結部３１からなる座板３は、シート部位２１に対して、連結部３１に設けた横長穴３１２の遊びの範囲内で、開口幅方向に移動可能となっており、座板３はより撓み易くなっている。したがって、シャッターカーテン２の降下時に、誤って避難者が降下するシャッターカーテンと床面に間に挟まってしまった場合には、シャッターカーテン２の下方部位がシート部位から構成されていることと共に、座板３が図６に示すように撓むため、挟まれた避難者脱出し易い。
【産業上の利用可能性】
【００２５】
本発明は、防火・防煙用のシャッターのシャッターカーテン下端の座板構造として利用することができる。
【図面の簡単な説明】
【００２６】
【図１】シャッター装置の概略正面図である。
【図２】シャッターカーテンの側面図、及び、正面図、である。
【図３】図２の側面図におけるシャッターカーテン下端の座板部分の拡大図である。
【図４】シャッター装置の幅方向端部の構成を示す図である。
【図５】他の実施形態に係る座板を示す図である。
【図６】シャッターカーテンと床面との間に避難者が挟まれた場合における座板の撓みを示す図である。
【符号の説明】
【００２７】
２  シャッターカーテン
２０  鋼製スラット部位
２１  シート部位
３  座板
３０  座板本体部
３１  連結部
７  シート
【図１】
2007146462.tif 000003
【図２】
2007146462.tif 000004
【図３】
2007146462.tif 000005
【図４】
2007146462.tif 000006
【図５】
2007146462.tif 000007
【図６】
2007146462.tif 000008